(57)【特許請求の範囲】
【請求項１】
ユーザの携帯端末にコンテンツ情報を配信するコンテンツ配信装置において、
前記コンテンツ情報が保存されるコンテンツ保存部と、
前記携帯端末が受信できる前記コンテンツ情報の件数を前記携帯端末から取得する件数取得部と、
前記コンテンツ保存部に保存されている前記コンテンツ情報を前記携帯端末に送信する送信部と、
前記送信部が送信するコンテンツ情報の数を前記件数取得部が取得した件数以下に制限する送信数制限部と、
前記携帯端末が着呼したことを検出し、前記送信部による前記コンテンツ情報の送信を中止する送信中止部と
を備え、
前記件数取得部が取得する件数は、前記携帯端末が、前記携帯端末のメモリ領域である電話帳エリアに保存可能な電話番号の件数であるコンテンツ配信装置。
【請求項２】
前記送信部が前記コンテンツ情報の送信を行っている間、前記携帯端末が着呼しているか否かを監視し、前記携帯端末が着呼したことを検出すると、前記コンテンツ情報のダウンロードを中止するか否かを問い合わせる着呼検出部をさらに備え、
前記着呼検出部は、前記ユーザが前記ダウンロードの中止を選択した場合、前記送信部に対し、前記コンテンツ情報の送信中止を命ずる請求項１に記載のコンテンツ配信装置。
【請求項３】
前記携帯端末を識別する識別情報を前記携帯端末から取得する識別情報取得部と、
前記識別情報を用いて、前記携帯端末に対し課金を行うか否かの決定を行う課金部と、
前記課金部の決定に基づいて前記送信部に前記コンテンツ情報の送信を許可する送信許可部と
をさらに備える請求項１または請求項２に記載のコンテンツ配信装置。
【請求項４】
前記携帯端末の通信用端子と接続可能な接続端子をさらに備え、
前記送信部は、前記携帯端末の通信用端子と接続された前記接続端子を介して前記コンテンツ情報を送信する請求項１乃至請求項３のいずれかに記載のコンテンツ配信装置。
【請求項５】
ユーザの携帯端末にコンテンツ情報を配信するコンテンツ配信装置のコンテンツ配信方法であって、
前記コンテンツ情報を保存するコンテンツ保存段階と、
前記携帯端末が受信できる前記コンテンツ情報の件数を前記携帯端末から取得する件数取得段階と、
前記コンテンツ保存段階によって保存された前記コンテンツ情報を前記携帯端末に送信する送信段階と、
前記送信段階が送信するコンテンツ情報の数を前記件数取得段階が取得した件数以下に制限する送信数制限段階と、
前記携帯端末が着呼したことを検出し、前記送信段階による前記コンテンツ情報の送信を中止する送信中止段階と
を備え、
前記件数取得段階が取得する件数は、前記携帯端末が、前記携帯端末のメモリ領域である電話帳エリアに保存可能な電話番号の件数であるコンテンツ配信方法。
【請求項６】
前記送信段階が前記コンテンツ情報の送信を行っている間、前記携帯端末が着呼しているか否かを監視し、前記携帯端末が着呼したことを検出すると、前記コンテンツ情報のダウンロードを中止するか否かを問い合わせる着呼検出段階をさらに備え、
前記着呼検出段階は、前記ユーザが前記ダウンロードの中止を選択した場合、前記送信段階に対し、前記コンテンツ情報の送信中止を命ずる請求項５に記載のコンテンツ配信方法。
【請求項７】
前記携帯端末を識別する識別情報を前記携帯端末から取得する識別情報取得段階と、
前記識別情報を用いて、前記携帯端末に対し課金を行うか否かの決定を行う課金段階と、
前記課金段階の決定に基づいて前記送信段階に前記コンテンツ情報の送信を許可する送信許可段階と
をさらに備える請求項５または請求項６に記載のコンテンツ配信方法。
【請求項８】
前記コンテンツ配信装置は、前記携帯端末の通信用端子と接続可能な接続端子をさらに備え、
前記送信段階は、前記携帯端末の通信用端末と接続された前記接続端子を介して前記コンテンツ情報を送信する請求項５乃至請求項７のいずれかに記載のコンテンツ配信方法。
【発明の詳細な説明】
【０００１】
【発明の属する技術分野】
本発明は、携帯電話、携帯端末およびコンテンツ配信装置に関する。特に本発明は、コンテンツ情報等の配信を受けられる携帯電話および携帯端末、並びに、携帯電話又は携帯端末にコンテンツ情報を配信するコンテンツ配信装置に関する。
【０００２】
【従来の技術】
従来、公共の場所に設置され、ユーザに種々の情報を配信する情報端末として、例えば特開平８−３０５７１２号公報および特開平８−３０５９３６号公報に開示されている情報端末が知られている。特開平８−３０５７１２号公報に開示されている情報端末は、ユーザが入力する指示に従い、ユーザが必要とする情報を検索し、検索結果を紙に印刷して出力する。また、特開平８−３０５９３６号公報に開示されている情報端末は、不要印刷防止のため、ユーザが有する特定のカードを利用して個人認証を行い、個人認証が成功したユーザに対してのみ情報を印刷する。
【０００３】
【発明が解決しようとする課題】
しかし、上記したいずれの情報端末においても、ユーザが必要とする情報は紙に印刷される。したがって、印刷された情報の中に例えば電話連絡先があると、ユーザはマニュアルによりその番号を電話に入力しなければならない。このようなマニュアル操作は、印刷された情報が多数で、連絡先も多数となった場合に、大変煩雑となる。また、印刷された情報が多数である場合には、その中の必要な連絡先を管理するのも大変である。
【０００４】
そこで本発明は、上記の課題を解決できる携帯電話、携帯端末およびコンテンツ配信装置を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、広告情報を配信する配信装置から前記広告情報の配信を受けられる携帯電話において、電話番号が保存される電話帳メモリと、前記配信装置と通信を行うことにより前記電話番号を含む前記広告情報を取得する情報取得部と、前記情報取得部が取得した前記広告情報から前記電話番号を抽出して前記電話帳メモリに保存する電話番号保存部と、前記電話帳メモリから選択された前記電話番号に発呼する電話帳利用発呼部と、を備える携帯電話が実現される。
【０００６】
【課題を解決するための手段】
上記課題を解決するために、本発明の第１の形態においては、ユーザの携帯端末にコンテンツ情報を配信するコンテンツ配信装置であって、コンテンツ情報が保存されるコンテンツ保存部と、携帯端末が受信できるコンテンツ情報の件数を携帯端末から取得する件数取得部と、コンテンツ保存部に保存されているコンテンツ情報を携帯端末に送信する送信部と、送信部が送信するコンテンツ情報の数を件数取得部が取得した件数以下に制限する送信数制限部とを備え、件数取得部が取得する件数は、携帯端末が、携帯端末のメモリ領域である電話帳エリアに保存可能な電話番号の件数である。
【０００７】
ダウンロードすべきコンテンツ情報をユーザに選択させる選択部をさらに備え、選択部は、ユーザが選択できるコンテンツ情報の件数を、電話帳エリアに保存可能な電話番号の件数に制限してもよい。
【０００８】
携帯端末が受信できるデータ量を携帯端末から取得するデータ量取得部と、データ量取得部が取得したデータ量に基づいて、送信部から送信するコンテンツ情報のデータ量を制限する送信量制限部とをさらに備えてもよい。
【０００９】
本発明の第２の形態によると、ユーザの携帯端末にコンテンツ情報を配信するコンテンツ配信装置であって、コンテンツ情報が保存されるコンテンツ保存部と、携帯端末が受信できるコンテンツ情報の件数を携帯端末から取得する件数取得部と、コンテンツ保存部に保存されているコンテンツ情報を携帯端末に送信する送信部と、送信部が送信するコンテンツ情報の数を件数取得部が取得した件数以下に制限する送信数制限部と、携帯端末が着呼したことを検出し、送信部によるコンテンツ情報の送信を中止する送信中止部とを備える。
【００１０】
送信部がコンテンツ情報の送信を行っている間、携帯端末が着呼しているか否かを監視し、携帯端末が着呼したことを検出すると、コンテンツ情報のダウンロードを中止するか否かを問い合わせる着呼検出部をさらに備え、着呼検出部は、ユーザがダウンロードの中止を選択した場合、送信部に対し、コンテンツ情報の送信中止を命じてもよい。
【００１１】
携帯端末を識別する識別情報を携帯端末から取得する識別情報取得部と、識別情報を用いて、携帯端末に対し課金を行うか否かの決定を行う課金部と、課金部の決定に基づいて送信部にコンテンツ情報の送信を許可する送信許可部とをさらに備えてもよい。
【００１２】
携帯端末の通信用端子と接続可能な接続端子をさらに備え、送信部は、携帯端末の通信用端子と接続された接続端子を介してコンテンツ情報を送信してもよい。
【００１３】
本発明の第３の形態によると、ユーザの携帯端末にコンテンツ情報を配信するコンテンツ配信装置のコンテンツ配信方法であって、コンテンツ情報を保存するコンテンツ保存段階と、携帯端末が受信できるコンテンツ情報の件数を携帯端末から取得する件数取得段階と、コンテンツ保存段階によって保存されたコンテンツ情報を携帯端末に送信する送信段階と、送信段階が送信するコンテンツ情報の数を件数取得段階が取得した件数以下に制限する送信数制限段階とを備え、件数取得段階が取得する件数は、携帯端末が、携帯端末のメモリ領域である電話帳エリアに保存可能な電話番号の件数である。
【００１４】
ダウンロードすべきコンテンツ情報をユーザに選択させる選択段階をさらに備え、選択段階は、ユーザが選択できるコンテンツ情報の件数を、電話帳エリアに保存可能な電話番号の件数に制限してもよい。
【００１５】
携帯端末が受信できるデータ量を携帯端末から取得するデータ量取得段階と、データ量取得段階が取得したデータ量に基づいて、送信段階から送信するコンテンツ情報のデータ量を制限する送信量制限段階とをさらに備えてもよい。
【００１６】
本発明の第４の形態によると、ユーザの携帯端末にコンテンツ情報を配信するコンテンツ配信装置のコンテンツ配信方法であって、コンテンツ情報を保存するコンテンツ保存段階と、携帯端末が受信できるコンテンツ情報の件数を携帯端末から取得する件数取得段階と、コンテンツ保存段階によって保存されたコンテンツ情報を携帯端末に送信する送信段階と、送信段階が送信するコンテンツ情報の数を件数取得段階が取得した件数以下に制限する送信数制限段階と、携帯端末が着呼したことを検出し、送信段階によるコンテンツ情報の送信を中止する送信中止段階とを備える。
【００１７】
送信段階がコンテンツ情報の送信を行っている間、携帯端末が着呼しているか否かを監視し、携帯端末が着呼したことを検出すると、コンテンツ情報のダウンロードを中止するか否かを問い合わせる着呼検出段階をさらに備え、着呼検出段階は、ユーザがダウンロードの中止を選択した場合、送信段階に対し、コンテンツ情報の送信中止を命じてもよい。
【００１８】
携帯端末を識別する識別情報を携帯端末から取得する識別情報取得段階と、識別情報を用いて、携帯端末に対し課金を行うか否かの決定を行う課金段階と、課金段階の決定に基づいて送信段階にコンテンツ情報の送信を許可する送信許可段階とをさらに備えてもよい。
【００１９】
コンテンツ配信装置は、携帯端末の通信用端子と接続可能な接続端子をさらに備え、送信段階は、携帯端末の通信用端末と接続された接続端子を介してコンテンツ情報を送信してもよい。
【００２２】
なお上記の発明の概要は、本発明の必要な特徴の全てを列挙したものではなく、これらの特徴群のサブコンビネーションも又発明となりうる。
【００２３】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００２４】
（第１実施形態）
図１は、本発明の第１実施形態による広告配信システムの概要を示す。本実施形態の広告配信システムは、情報端末２００と、電話機能とは別個の通信手段により情報端末２００と通信できる携帯電話３００とを有する。情報端末２００は、通信網４００を介して広告用サーバシステム１００および携帯電話会社５００と通信を行える。
【００２５】
広告用サーバシステム１００は、宿泊情報、イベント情報等の種々の項目に関連する広告情報を保存、管理する広告情報データベース１０２を有する。また、携帯電話会社５００は、携帯電話の電話番号に基づいて、その携帯電話が現在有効であるか否かに関する情報を管理するユーザ管理情報データベース５０２、および、携帯電話の電話番号に基づいて、その携帯電話の最大課金限度額又は残課金可能額を管理する課金管理情報データベース５０４を有する。
【００２６】
情報端末２００は、広告用サーバシステム１００の有する広告情報を取得し、これをユーザに配信する。広告情報の配信は、ユーザの携帯電話３００に広告情報をダウンロードする形式で行われる。また、情報端末２００は、広告情報をダウンロードする際、ユーザに課金する。課金は、ユーザの携帯電話３００の電話番号に料金を課金することを携帯電話会社５００に依頼することにより行われる。
【００２７】
図２は、情報端末２００の構成を示す図である。情報端末２００は、情報端末全体をの動作を統括制御するＣＰＵ２０２と、ＣＰＵ２０２が実行するプログラム等が保存されるシステムメモリ２０４と、広告用サーバシステム１００から取得した広告情報が保存されるハードディスク２０６と、専用回線または公衆回線に接続され、広告用サーバシステム１００又は携帯電話会社５００と通信を行う通信用インターフェース２０８とを有している。また、情報端末２００は、ユーザに対するメッセージ等を表示するためのモニタ２１６およびビデオインターフェース２１４と、モニタ２１６に表示されている項目をユーザが選択するためのタッチパネル２１２およびタッチパネルインターフェース２１０と、日付および時間を管理するカレンダ・時計２１８とを有する。さらに、情報端末２００は、携帯電話３００と通信を確立するために、携帯電話３００の外部接続端子と直接接続できる携帯電話接続ポッド２２０を有する。携帯電話接続ポッド２２０は、携帯電話３００の外部接続端子に接続できる接続端子のほか、携帯電話３００を保持する構造体を備えていることが望ましい。これは、携帯電話３００を手で保持する必要性からユーザを解放し、タッチパネル２１２の操作にユーザが専念させるためである。
【００２８】
図３は、ＣＰＵ２０２がシステムメモリ２０４に保存されているプログラムを実行することにより実現される情報端末２００の諸機能を示す機能ブロック図である。情報端末２００は、広告用サーバシステム１００から広告情報を取得する広告情報取得部２４２を有する。また、情報端末２００は、携帯電話３００のメモリにダウンロードできる広告情報の件数（以下、「ダウンロード可能件数」という）を携帯電話３００から取得するメモリ情報取得部２３０を有する。また、情報端末２００は、携帯電話３００にダウンロードすべき広告情報をユーザに選択させる選択部２３８と、選択部２３８が選択した広告情報を携帯電話３００へ送信する広告情報送信部２３４とを有する。また、情報端末２００は、携帯電話３００の電話番号を取得する電話番号取得部２３６と、その電話番号に対する課金処理を行う課金部２４０とを有する。さらに、情報端末２００は、携帯電話３００が着呼したことを検出する着呼検出部２３２を有する。
【００２９】
広告情報取得部２４２は、通信網４００を介して、広告用サーバシステム１００の広告情報データベース１０２に保存されている広告情報を取得する。また、広告情報取得部２４２は、取得した広告情報をハードディスク２０６に保存し、又は既にハードディスク２０６に保存されている広告情報の内容を更新する。広告情報取得部２４２は、広告情報をその内容により分類してハードディスク２０６に保存する。例えば本実施形態では、公共施設情報、宿泊情報、名所案内、ビジネス情報、イベント情報、およびショッピング情報の６つの項目を設け、広告情報を関連する項目に関連づけてハードディスク２０６に保存する。広告情報取得部２４２が取得し、保存する広告情報は、少なくとも、
【００３０】
▲１▼広告情報の提供者等の氏名若しくは名称、またはタイトル等、広告内容を簡潔に表す文字列（以下、「広告タイトル」と言う）
▲２▼広告内容を説明するテキスト情報（以下、「広告テキスト情報」という）
▲３▼モニタ２１６に表示するフルカラー、フルサイズの画像情報（以下「広告画像情報」という）
▲４▼広告情報に関連する連絡先の電話番号（以下、「広告電話番号」という）
を有する。
【００３１】
なお、広告情報取得部２４２は、広告用サーバシステム１００に定期的にアクセスし、ハードディスク２０６に保存されている広告情報を更新することが好ましい。この場合、広告情報取得部２４２が広告用サーバシステム１００にアクセスする頻度と時間は、例えば、１日に１回、ユーザによる情報端末２００の利用頻度がもっとも少ない時間であることが好ましい。
【００３２】
課金部２４０は、携帯電話３００の電話番号をユーザの個人認証を行う手段に利用してユーザに対する課金処理を実行する。具体的には、課金部２４０は電話番号取得部２３６が取得した電話番号を携帯電話会社５００に送信し、その電話番号の有効・無効を携帯電話会社５００に問い合わせる。送信した電話番号が有効である旨がユーザ管理情報データベース５０２に記録されている場合、課金部２４０は、課金管理情報データベース５０４でその電話番号に関連づけて保存されている最大課金限度額又は残課金可能額を携帯電話会社５００から受信する。その他の場合には、課金部２４０は、電話番号が無効である旨の通知を携帯電話会社５００から受信する。最大課金限度額又は残課金可能額を受信した場合、課金部２４０は、それをユーザに課金すべき料金と比較する。比較の結果、課金すべき料金が最大課金限度額又は残課金可能額より小さい場合、課金部２４０は、携帯電話会社５００に対し、当該料金を電話料金としてその電話番号に課金すべき旨を通知する。また、課金部２４０は、選択部２３８に対し、課金が実行された旨を通知する。一方、課金部２４０は、課金すべき料金が最大課金限度額又は残課金可能額より大きく、ユーザに課金できない場合、又は、電話番号が無効である旨の通知を携帯電話会社５００から受信した場合、携帯電話会社５００に対し、課金すべき旨の通知をしない。また、課金部２４０は、選択部２３８に対し、課金が実行されなかった旨を通知する。
【００３３】
選択部２３８は、宿泊情報等の広告情報の項目をモニタ２１６に表示し、ユーザに希望の項目を選択させる。さらに、選択部２３８は、選択された項目の広告情報をモニタ２１６に表示し、ダウンロードすべき広告情報をユーザに選択させる。このとき、選択部２３８は、ユーザが選択できる広告情報の件数をダウンロード可能件数に制限する。また、選択部２３８は、ユーザからダウンロードの指示があった場合、課金部２４０に課金処理の実行を命ずる。その結果、課金を実行した旨の通知が課金部２４０からあった場合、選択部２３８は、選択された広告情報を携帯電話３００へ送信すべき旨を広告情報送信部２３４に命じる。一方、課金を実行しなかった旨の通知が課金部２４０からあった場合、選択部２３８は広告情報送信部２３４に対し広告情報の送信を命ずることなく処理を中止する。
【００３４】
広告情報送信部２３４は、携帯電話接続ポッド２２０を介して、選択部２３４から指示された広告情報と、広告情報が属する項目名とを互いに関連づけて携帯電話３００に送信する。送信の際、広告情報送信部２３４は、広告画像情報をＲＧＢ各８ビットのフルカラーから８ビットインデックスカラーに縮退させ、画像サイズを例えば１６０×１２０のサムネイルサイズに縮小する。これは、携帯電話３００の表示部において画像情報を表示可能とするためである。なお、本実施形態では、携帯電話３００の外部接続端子に直接接続されている携帯電話接続ポッド２２０を介して広告情報を送信するので、携帯電話の電話回線を利用する場合より送信を短時間で行える。また、広告情報を印刷しないので、情報端末２００において紙等の消耗品を補給するなどのメンテナンスが必要とならない。
【００３５】
着呼検出部２３２は、広告情報送信部２３４が広告情報の送信を行っている間、携帯電話３００が着呼しているか否かを監視する。携帯電話３００が着呼したことを検出すると、着呼検出部２３２は、広告情報のダウンロードを中止するか否かを問い合わせるメッセージをモニタ２１６に表示する。ユーザがダウンロードの中止を選択した場合、着呼検出部２３２は、広告情報送信部２３４に対し、広告情報の送信中止を命ずる。この結果、広告情報のダウンロードは中止され、ユーザは携帯電話３００で通話できるようになる。
【００３６】
図４は、本実施形態に係る携帯電話３００の構成を示す図である。携帯電話３００は、当該携帯電話の動作を制御するＣＰＵ３０２と、ＣＰＵ３０２が実行するプログラム等が保存されるシステムメモリ３０４と、電話番号、氏名、広告情報等が保存される不揮発性メモリ３０６と、日時を管理するカンレダ時計３０８とを有する。また、携帯電話３００は、電話会社が提供する電話サービスを利用しての発呼、着呼および通話を行うための送受信回路３１０および内蔵アンテナ３１２を有する。また、携帯電話３００は、ユーザが情報を入力するテンキー、ファンクションキー、スクロールキー、オンフックキー、およびオフフックキー等の入力手段３１６と、入力手段３１６用の入出力インターフェース３１４と、液晶表示部３２０と、液晶表示部３２０用のフレームメモリ３１８とを有する。さらに、携帯電話３００は、情報端末２００を含む外部機器と通信を行うための外部接続端子３２４および外部インターフェース３２２を有する。
【００３７】
図５は、ＣＰＵ３０２がシステムメモリ３０４に保存されているプログラムを実行することにより実現される携帯電話３００の諸機能を示す機能ブロック図である。携帯電話３００は、少なくとも、情報格納エリア３３２、電話帳エリア３３４、およびメモリ情報エリア３４０を含むメモリ３３０を有する。情報格納エリア３３２は、広告情報が保存されるメモリ領域である。メモリ情報エリア３４０は、テンポラリエリア３３８に保存可能な電話番号の件数および情報格納エリアのメモリ容量が保存されるメモリ領域である。電話帳エリア３３４は、電話番号と、その電話番号に関連する氏名、名称等が関連づけて保存されるメモリ領域である。電話エリア３３４は、さらに一般エリア３３６と、テンポラリエリア３３８とに分割されている。一般エリア３３６は、保存されている情報を消去するときに、入力手段３１６を介してのユーザの許可が必要となるメモリ領域である。これに対し、テンポラリエリア３３８は、保存されている情報を消去するときに、入力手段３１６を介してのユーザの許可が必要とならないメモリ領域である。なお、本実施形態では、一般エリア３３６に電話番号等を保存することを本登録、テンポラリエリア３３８に電話番号等を保存することを仮登録という。
【００３８】
携帯電話３００は、さらに、電話番号、氏名等をメモリ３３０の一般エリア３３６に登録又は削除する電話番号登録部３５０を有する。電話番号登録部３５０は、入力手段３１６からユーザにより入力された氏名等および電話番号を一般エリア３３６の空き領域に保存する。また、入力手段３１６を介してユーザから許可があった場合に、一般エリア３３６上の指定された電話番号および氏名等を消去する。なお、本実施形態において、一般エリア３３６に保存されている情報を消去する機能を有するのは電話番号登録部３５０のみである。
【００３９】
携帯電話３００は、さらに、外部接続端子３２４を介して情報端末２００から広告情報およびその広告情報に関連づけられている「宿泊情報」等の項目名を取得する広告情報取得部と、取得された広告情報および項目名をメモリ３３０に保存する広告情報保存部３５８とを有する。広告情報保存部３５８は、広告情報をメモリ３３０に保存するときに、広告情報に含まれている広告タイトルおよび広告電話番号を互いに関連づけてテンポラリエリア３３８に保存する。また、広告情報保存部３５８は、広告情報に関連づけられている項目名、広告情報中の広告タイトル、広告テキスト情報、広告画像情報、および、テンポラリエリア３３８に保存された広告電話番号のアドレスを互いに関連づけて情報格納エリア３３２に保存する。なお、広告情報保存部３５８は、情報格納エリア３３２およびテンポラリエリア３３８をＦＩＦＯ法により管理する。したがって、テンポラリエリア３３８又は情報格納エリア３３２に空き容量がない場合には、新しい情報が古い情報から順に上書きしていく。なお、管理の容易のために、テンポラリエリア３３８に保存できる電話番号の件数と、情報格納エリアに保存できる広告情報の件数は一致させることが望ましい。
【００４０】
携帯電話３００は、さらに、電話帳エリア３３４に保存されている電話番後を選択する電話番号選択部３４８と、送受信回路３１０を制御し、発呼、着呼および通話を管理する電話通信部３４６とを有する。電話番号選択部３４８は、ユーザによる入力手段３１６の操作に従い、電話帳エリア３３４の一般エリア３３６またはテンポラリエリア３３８に保存されている電話番号を読みとり液晶表示部３２０に表示させる。ユーザが入力手段３１６を介して発呼を指示すると、電話番号選択部３４８は、液晶表示部３２０に表示されている電話番号を電話通信部３４６へ送る。電話通信部３４６は、電話番号選択部３４８から電話番号を受け取ると、その電話番号に発呼する。
【００４１】
なお、電話通信部３４６は、上記の他に、ユーザが入力手段３１６からマニュアルで電話番号を入力し、発呼を指示した場合には、その入力された電話番号に発呼する。また、電話通信部３４６は、広告情報取得部３５６が情報端末２００から広告情報を取得している最中に着呼をした場合、外部接続端子３２４を介して情報端末２００に着呼している旨を通知する。
【００４２】
携帯電話３００は、さらに、メモリ３３０の情報格納エリア３３２に保存されている広告情報を選択する情報選択部３４２と、情報選択部３４２が選択した広告情報に関連づけられているテンポラリエリア３３８上の広告電話番号を取得する電話番号取得部３４４とを有する。情報選択部３４２は、ユーザによる入力手段３１６の操作に従って、情報格納エリア３３２に保存されている広告情報を読みとり液晶表示部３２０に表示させる。ユーザが入力手段３１６を介して発呼を指示すると、情報選択部３４２は、液晶表示部３２０に表示中の広告情報が保存されているメモリ領域から、関連する広告電話番号のテンポラリエリア３３８上のアドレスを取得する。さらに、情報選択部３４２は、取得したアドレスを電話番号取得部３４４に渡す。電話番号取得部３４４は、渡されたアドレスに基づいてテンポラリエリア３３８から広告電話番号を取得し、これを電話通信部３４６に渡す。電話通信部３４６は、電話番号選択部２４８のときと同様に渡された電話番号に発呼する。
【００４３】
携帯電話３００は、さらに、入力手段３１６を介してのユーザの指示に従い、テンポラリエリア３３８上の広告電話番号を一般エリア３３６の空き領域に複写または移動させる電話番号移動部３５４を有する。電話番号移動部３５４を利用することにより、ユーザは、テンポラリエリア３３８に保存されている広告電話番号のうち重要なものを一般エリア３３６に移し、広告情報保存部３５８の上書きによるその広告電話番号の消失を防止できる。
【００４４】
携帯電話３００は、さらに、メモリ情報エリア３４０に保存されている「テンポラリエリア３３８に保存可能な電話番号の件数」を取得し、これをダウンロード可能件数として情報端末２００へ送信するメモリ情報送信部３５４を有する。
【００４５】
図６は、情報格納エリア３３２および電話帳エリア３３４の構造を模式的に示す図である。本実施形態では、情報格納エリアが階層構造で管理される。階層構造の第１層には、大項目として広告情報が属する項目名が保存される。図示の例では、大項目として「宿泊情報」と「イベンント情報」とが保存されている。階層構造の第２層には、小項目として広告タイトル保存される。さらに、階層構造の第３層には、広告テキスト情報、広告画像情報、および、テンポラリエリア３３８に保存された広告電話番号のアドレスが保存される。
【００４６】
図７は、情報端末２００が広告情報を携帯端末にダウンロードするときの動作を示すフローチャートである。また、図８は、情報端末２００のモニタ２１６に表示される画面例である。
【００４７】
本実施形態で情報端末２００が広告情報をダウンロードするときは、はじめに、選択部２３８がメニュー画面をモニタ２１６に表示させる（Ｓ１０２）。図８（ａ）は、このときに表示されるメニュー画面の一例である。表示されるメニュー画面６００は、広告情報として選択できる項目を表示する項目表示部６０２と、携帯電話３００を情報端末２００に接続すべき旨のメッセージを表示するメッセージ表示部６０４とを有する。ユーザは、所有している携帯電話３００を情報端末２００の携帯電話接続ポッド２２０に接続し、項目表示部６０２のうち希望する項目の位置においてタッチパネル２１２に触れると、その項目を選択できる。ここでは、ユーザが「▲２▼宿泊情報」を選択したと仮定する。
【００４８】
携帯電話３００が情報端末２００に接続されると、選択部２３８は、メモリ情報取得部２３０に、接続された携帯電話３３０からダウンロード可能件数を取得させる（Ｓ１０４）。
【００４９】
次に、選択部２３８は、選択された項目に属する広告情報をハードディスク２０６から取得し、これをモニタ２１６に表示させる（Ｓ１０６）。図８（ｂ）は、このときにモニタ２１６に表示される画面例である。表示される画面６１０は、広告情報の少なくとも一部をリスト状に表示する広告表示部６１２と、広告表示部６１２の表示内容をページをめくるように前進または後退させるスクロール部６１４とを有する。また、画面６１０は、メッセージ表示部６１６と、ルートメニュー選択部６１８と、ダウンロード選択部６２０とを有する。メッセージ表示部６１６は、表示されている広告情報に触れることで、ダウンロードする広告情報をユーザが選択すべき旨のメッセージと、選択できる広告情報の最大件数が表示する。広告情報を選択できる最大件数としては、メモリ情報取得部２３０が取得したダウンロード可能件数が表示される。ルートメニュー選択部６１８は、メニュー画面６００に戻りたい場合にユーザが触れるべきタッチパネルの位置を示す。ダウンロード選択部６２０は、選択された広告情報のダウンロードを決定する場合にユーザが触れるべきタッチパネルの位置を示す。
【００５０】
上記画面において、ユーザがルートメニュー選択部６１８に触れると、選択部２３８は、Ｓ１０２のメニュー画面表示に戻る（Ｓ１０８：ｎｏ）。一方、ユーザがダウンロード選択部６２０に触れると（Ｓ１０８：ｙｅｓ）、選択部２３８は、課金部２４０に課金処理の実行を命じる（Ｓ１１０）。
【００５１】
次に、選択部２３８は、課金部２４０からの応答を受ける。受けた応答が課金を実行した旨の通知である場合、選択部２３８は、選択されている広告情報を広告情報送信部２３４に送信させる（Ｓ１１２：ｙｅｓ、Ｓ１１４）。これにより、広告情報の携帯電話３００へのダウンロードが達成される。広告情報のダウンロードが達成された後、情報端末２００は処理を終了する。
【００５２】
一方、Ｓ１１２において、課金部２４０からの応答が、課金が実行されなかった旨の通知である場合、選択部２３８は広告情報のダウンロードを行わず（Ｓ１１２：ｎｏ）、情報端末２００は直ちに処理を終了する。
【００５３】
図９は、液晶表示部３２０で広告情報を閲覧している状態から、その広告情報の連絡先に発呼を行うときの携帯電話３００の動作を示すフローチャートである。また、図１０は、携帯電話３００の液晶表示部３２０に表示される画面例である。
【００５４】
本実施形態の携帯電話３００において、ユーザが、入力手段３１６を介して広告情報の閲覧を指示すると、情報選択部３４２が情報格納エリア３３２に保存されている広告情報の大項目を液晶表示部３２０に表示させる（Ｓ２０２）。図１０（ａ）は、このときに液晶表示部３２０に表示される画面例である。この画面例では、画面右側に「宿泊情報」、「イベント情報」および「公共施設情報」の３つの大項目が表示されている。なお、表示すべき項目数が多い場合には、画面をスクロール等することにより他の項目を表示可能としてもよい。
【００５５】
次に、ユーザが、入力手段３１６を介して、表示されている大項目のうち、例えば「宿泊情報」を選択したと仮定する。情報選択部３４２は、情報格納エリア３３２に保存されている「宿泊情報」の小項目から広告タイトルを抽出し、そのリストを液晶表示部３２０に表示させる（Ｓ２０４）。図１０（ｂ）は、このときに液晶表示部３２０に表示される画面の一例である。図示の画面例では、画面右側に「ＡＢＣホテル」、「ペンションＤＤＤ」および「○×ホテル」の３つの広告タイトルが表示されている。ここでも、表示すべきタイトルが多数ある場合には、画面のスクロールによりそれらの広告タイトルを表示可能としてもよい。
【００５６】
上記状態において、ユーザは、▲１▼表示されている宿泊施設のうち選択したものの詳細情報を表示する、▲２▼表示されている宿泊施設のうち選択したものに発呼する、▲３▼処理を中止する、のいずれかを入力手段３１６から指示できる（Ｓ２０６）。ユーザが上記選択肢のうち▲１▼を選択すると、情報選択部３４２は、選択された広告タイトルに関連づけられている広告テキスト情報および広告画像情報を情報格納エリア３３２から抽出し、液晶表示部３２０に表示させる（Ｓ２０８）。図１０（ｃ）は、このときに液晶表示部３２０に表示される画面の一例である。図示の画面例では、画面右側に広告テキスト情報、画面左上段に広告タイトル、同下段に広告画像情報がそれぞれ表示されている。上記画面が表示されている状態において、ユーザは、表示されている宿泊施設に発呼する、または処理を中止するのいずれかを入力手段３１６から指示できる（Ｓ２１２）。
【００５７】
Ｓ２０６またはＳ２１０において発呼することが選択された場合、情報選択部３４２は、情報格納エリア３３２から、広告情報の電話番号が保存されているテンポラリエリア３３８内のアドレスを取得する。さらに、情報選択部３４２は、取得したアドレスを電話番号取得部３４４に渡す。電話番号取得部３４４は、受け取ったアドレスにアクセスして、そこに保存されている電話番号を取得し、これを電話通信部３４６に渡す。電話通信部は、受け取った電話番号に発呼する（以上、Ｓ２１２）。
【００５８】
以上説明したように、本実施形態の携帯電話３００では、広告情報の電話番号が電話帳エリア３３４に保存される。したがって、ユーザは、マニュアル操作により電話番号を入力しなくても、電話番号選択部３４８の機能を利用して広告情報の電話番号を選択し、その電話番号に発呼できる。
【００５９】
また、本実施形態の携帯電話３００では、電話帳エリア３３４を一般エリア３３６とテンポラリエリア３３８とに分け、電話番号登録部３５０がユーザの指示を受けて登録する電話番号は一般エリア３３６に保存し、広告情報保存部３５８が広告情報から抽出した電話番号はテンポラリエリア３３８に保存する。したがって、広告情報保存部３５８が広告情報の電話番号を電話帳エリア３３４に保存することにより、電話番号登録部３５０によって登録された電話番号が消去されることはない。
【００６０】
また、本実施形態の携帯電話３００は、広告情報を閲覧中に発呼の指示があると、電話帳エリア３３４に保存されている電話番号のうち、閲覧中の広告情報に関連づけられている電話番号に発呼する。したがって、ユーザは、マニュアルにより電話番号を入力しなくても、広告情報の連絡先に電話をかけられる。
【００６１】
一方、本実施形態の情報端末２００は、携帯電話３００からテンポラリエリアに保存できる電話番号の件数を取得し、その件数以下の数の広告情報のみを携帯電話３００にダウンロードする。したがって、本実施形態の情報端末２００は、テンポラリエリア３３８の容量が互いに異なる複数の携帯電話に広告情報を配信できる。
【００６２】
また、本実施形態の情報端末２００は、携帯電話３００の着呼を検出し、広告情報のダウンロードを中止できる。したがって、広告情報のダウンロード中に電話がかかってきた場合でも、ユーザは、安全に携帯電話３００を情報端末から取り外し、電話を受けることができる。
【００６３】
（第２実施形態）
次に、本発明の第２実施形態について説明する。本実施形態では、携帯電話のメモリ情報送信部３５４、並びに、情報端末２００のメモリ情報取得部２３０および選択部２３８の処理内容が第１実施形態と異なる。
【００６４】
第１実施形態では、携帯電話３００のメモリ情報送信部３５４から、情報端末２００のメモリ情報取得部２３０へ、携帯電話３００のテンポラリエリア３３８に保存可能な電話番号の件数であるダウンロード可能件数のみが送信される。これに対し本実施形態では、ダウンロード可能件数のとともに、情報格納エリア３３２のメモリ容量をも送信する。
【００６５】
また、本実施形態における情報端末２００の選択部２３８は、メモリ情報取得部２３０が取得したダウンロード可能件数および情報格納エリア３３２のメモリ容量に基づいて、ダウンロードする広告情報の内容を制限する。
【００６６】
図１１は、本実施形態に係る情報端末２００が広告情報を携帯端末にダウンロードするときの動作を示すフローチャートである。なお、図１１では、図７で説明したのと実質的に同一の処理が行われるステップには、図７で用いたのと同一の符号を付与し、その説明を省略する。
【００６７】
本実施形態において、メニュー画面のメッセージに従いユーザが携帯電話を情報端末２００に接続すると（Ｓ１０２）、選択部２３８は、携帯電話３００から電話番号、ダウンロード可能件数および情報格納エリア３３２のメモリ容量を取得する。
【００６８】
また、選択部２３８は、ユーザが広告情報を選択し、ダウンロードを指示すると（Ｓ１０８）、選択された広告情報のデータ量を加算してその総データ量を計算する（Ｓ３０４）。次に、選択部２３８は、広告情報の総データ量と情報格納エリア３３２のメモリ容量とを比較する（Ｓ３０６）。その結果、広告情報の総データ量が情報格納エリア３３２のメモリ容量より大きい場合は、各広告情報においてダウンロードするデータを制限する（Ｓ３０８）。本実施形態では、例えば、広告画像情報を除く情報にダウンロードするデータを制限する。
【００６９】
次に選択部２３８は、Ｓ３０８で制限されたデータに基づいて選択された広告情報の総データ量を計算し（Ｓ３１０）、再びＳ３０６へ戻る。Ｓ３０６からＳ３１０までの処理は、Ｓ３０６において選択された広告情報の総データ量が情報格納エリア３３２のメモリ容量よりも小さくなるまで継続される。広告情報の総データ量が情報格納エリア３３２のメモリ容量よりも小さくなると、選択部２３８は、最終的にダウンロードすることになった広告情報の内容を説明するメッセージをモニタ２１６に表示させ、ユーザに対してダウンロードの確認をする（Ｓ３１２）。例えば、Ｓ３０８において、広告画像情報がダウンロードするデータから除外されている場合には、「広告の“テキスト情報”および“連絡先”をダウンロードします。“画像”は、十分なメモリ容量が携帯電話にないのでダウンロードできません。ダウンロードしますか？」というメッセージを表示してダウンロードを確認する。これに対し、ユーザがダウンロードを選択すると、選択部２３８は、課金処理とダウンロード処理を実行する（Ｓ１１０−Ｓ１１４）。
【００７０】
以上説明したように、本実施形態の情報端末２００は、携帯電話３００の情報格納エリア３３２のメモリ容量を考慮して、ダウンロードする広告情報の内容を制限する。したがって、本実施形態の情報端末は、情報格納エリアのメモリ容量が異なる種々の携帯電話に適切に対応できる。
【００７１】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００７２】
例えば、情報端末２００は、広告情報に限らず、音楽、映像、ニュース等、いわゆるデジタルコンテンツを配信してもよい。
【００７３】
また、情報端末２００は、広告情報をハードディスクに予め保存するのではなく、ユーザから要求がある度に、必要な広告情報のみを広告用サーバシステム１００から取得してもよい。あるいは、情報端末２００のハードディスクには、配信頻度の高い情報のみを保存し、配信頻度の低い情報に対し配信要求があった場合のみ、広告用サーバシステム１００から広告情報を取得することでもよい。
【００７４】
また、情報端末２００は、２以上の携帯電話接続ポッド２２０を備え、２以上の携帯電話３００に同時に広告情報を配信してもよい。
【００７５】
また、携帯電話接続ポッド２２０は、接続された携帯電話３００に充電用の電力を供給してもよい。
【００７６】
また、情報端末２００は、Ｃ−ＨＴＭＬ、ＷＭＬ等のページ記述言語で記述された広告情報を携帯電話３００にダウンロードしてもよい。この場合、携帯電話３００が搭載しているブラウザを利用して広告情報を管理可能となる。
【００７７】
また、携帯電話３００では、広告情報から電話番号を抽出し、広告情報と異なるメモリ領域に保存していたが、これは、インターネット上のホームページのＵＲＬを広告情報から抽出し、広告情報と異なるメモリ領域に保存、管理し、さらには通信を確立することであってもよい。
【００７８】
また、図１において示したユーザ管理情報データベース５０２および課金管理情報データベース５０４は、携帯電話会社５００ではなく、広告用サーバシステム１００または情報端末２００に備えてもよい。
【００７９】
さらに、情報端末２００と携帯電話３００との間の通信は、ＵＳＢ、高速シリアル、携帯拡張ポート用ケーブルなどのワイヤＩ／Ｆ、または、赤外通信（ＩｒＤＡ）、Bluetooth等の電波通信などの無線Ｉ／Ｆによって実現してもよい。
【００８０】
【発明の効果】
上記説明から明らかなように、本発明によれば取得した情報を簡便に整理できる携帯電話および携帯端末、並びに、そのような携帯電話又は携帯端末に情報を配信するコンテンツ配信装置を提供することができる。
【図面の簡単な説明】
【図１】本発明の第１実施形態による広告配信システムの概要を示す図である。
【図２】情報端末２００の構成を示す図である。
【図３】情報端末２００の機能ブロック図である。
【図４】携帯電話３００の構成を示す図である。
【図５】携帯電話３００の機能ブロック図である。
【図６】情報格納エリア３３２および電話帳エリア３３４の構造を模式的に示す図である。
【図７】情報端末２００が広告情報を携帯端末にダウンロードするときの動作を示すフローチャートである。
【図８】情報端末２００のモニタ２１６に表示される画面例である。
【図９】液晶表示部３２０で広告情報を閲覧している状態から、その広告情報の連絡先に発呼を行うときの携帯電話３００の動作を示すフローチャートである。
【図１０】携帯電話３００の液晶表示部３２０に表示される画面例である。
【図１１】第２実施形態に係る情報端末２００が広告情報を携帯端末にダウンロードするときの動作を示すフローチャートである。
【符号の説明】
１００…広告用サーバシステム    １０２…広告情報データベース    ２００…情報端末  ２３０…メモリ情報取得部    ２３２…着呼検出部    ２３４…広告情報送信部    ２３６…電話番号取得部    ２３８…選択部    ２４０…課金部２４２…広告情報取得部    ３００…携帯電話    ３３０…メモリ  ３３２…情報格納エリア    ３３４…電話帳エリア    ３３６…一般エリア    ３３８…テンポラリエリア    ３４０…メモリ情報エリア  ３４２…情報選択部    ３４４…電話番号取得部    ３４６…電話通信部    ３４８…電話番号選択部    ３５０…電話番号登録部    ３５２…電話番号移動部    ３５４…メモリ情報送信部    ３５６…広告情報取得部    ３５８…広告情報保存部    ４００…通信網    ５００…携帯電話会社    ５０２…ユーザ管理情報データベース    ５０４…課金管理情報データベース
【図１】
0004516181.tif 000002
【図２】
0004516181.tif 000003
【図３】
0004516181.tif 000004
【図４】
0004516181.tif 000005
【図５】
0004516181.tif 000006
【図６】
0004516181.tif 000007
【図７】
0004516181.tif 000008
【図８】
0004516181.tif 000009
【図９】
0004516181.tif 000010
【図１０】
0004516181.tif 000011
【図１１】
0004516181.tif 000012